(57)【要約】【課題】部品の一部を利用してキャラクタに関心を引きつける動作をさせる。【解決手段】クリップ２は、上端平坦部１１の下面に形成された取り付け筒部１４を介して、筆記具３の頂部に取り付けられる。クリップ２の板状本体１０は、平坦部１１から曲線を描いて下方に延長されるとともに、中央に沿ってスリット１６が形成される。このスリット１６には、キャラクタ１７の掛止部１８が遊びを有して掛止される。キャラクタ１７をスリット１６に沿って上端平坦部１１まで引き上げて、キャラクタ１７を板状本体１０の上端に一旦静止させ、クリップ２を少し傾けるか、手でキャラクタ１７を押し出すと、キャラクタ１７は掛止部１８がスリット１６に沿って案内されて自重により板状本体１０上面を滑り下る。このため、キャラクタ１７は板状本体１０の上をあたかもすべり台を滑り降りるような印象を与えることができる。【選択図】  図２
2006334996.tif 000002
【特許請求の範囲】
【請求項１】
一端が筆記具頂部またはキャップ頂部に取り付けられ、曲面部を形成して下方に延長されるとともに、延長方向に沿ってガイドが形成された板状本体と、このガイドに下端部が遊びを有して掛止され、板状本体の外面を滑動自在に変位するキャラクタとを備えたことを特徴とするクリップ。
【請求項２】
ガイドをスリットにより構成し、このスリットを、波線状に形成された曲線スリット、または、スリット側壁に多数の凹凸部が形成された凹凸スリットのうち少なくともいずれか一方により構成したことを特徴とする請求項１に記載のクリップ。
【請求項３】
ガイドをスリットにより構成し、スリットの一側壁にラック歯を形成するとともに、キャラクタの下端部には、このラック歯に噛合するピニオンを形成したことを特徴とする請求項１または２に記載のクリップ。
【請求項４】
板状体は、Ｕ字状に形成され、折り曲げられた上端下面が筆記具頂部またはキャップの頂部に取り付けられることを特徴とする請求項１ないし３のうちいずれか１に記載のクリップ。
【発明の詳細な説明】
【技術分野】
【０００１】
本発明は、筆記具または筆記具に被せるキャップに設けられるクリップに関するものである。
【背景技術】
【０００２】
一般に、ノック式ボールペン等の筆記具には、需要者の趣味性を満たすため、キャラクタ（人気のある人・動物・シンボルまたはそのイメージ、マスコット、縁起物など）を筆記具軸筒の上部に、あるいは、キャップ付き筆記具の場合、キャップに取り付けることがある。従来、このようなキャラクタを単に取り付けるだけでなく、キャラクタを動かすようにした筆記具が提案されている。例えば、筆記具上部に蓋を有する筺体を設け、この筐体内にキャラクタを収容し、クリップ部のノックによるペン先の出没操作に伴って、収容された立体キャラクタを蓋を開いて飛び出させるようにした筆記具が提案されている。上記従来の筆記具では、クリップ部を出没操作部として構成し、この出没操作部に噛合するギアを介して上下に変移するロッドと組み合わせ、このロッド先端にキャラクタを取り付けている。筐体開口には、蓋が開閉自在に軸支されている。この蓋を揺動アームを介してロッドと連結している。クリップ部を操作することにより、ロッドの上昇によりアームが蓋を開くとともに、ロッドがさらに上方に変移しキャラクタが飛び出すようになっている。（特許文献１参照）。また、キャラクタを動かす機構を備えた筆記具として、例えば、操作レバーを押し下げ操作すれば操作レバーと一体のスライド部材が下降して回転軸を回転させ、キャラクタを一方向に回転させ、操作レバーの押し下げを解除すればスプリングに付勢されてスライド部材が上昇しながら回転軸を逆回転させ、キャラクタを逆方向に回転させるものが知られている（特許文献２参照）。
【特許文献１】実用新案登録第３０７６５８２号公報（第２頁、図１）
【特許文献２】特開２００３−１９３６７号公報（第２頁、図２）
【発明の開示】
【発明が解決しようとする課題】
【０００３】
しかしながら、上記従来の筆記具では、キャラクタを飛び出させたり回転させたりするために複雑な構成が求められ多数の部品が必要になるという問題がある。また、狭隘な空間内に多数の部品を組み込むため、部品を薄肉化したり小型化したりしなければならず、耐久性を欠き故障しやすいという問題がある。
【０００４】
本発明は、上記課題を解決するためになされたもので、簡素な構成でキャラクタにシンプルな動きの変化でさも遊んでいるような印象を持たせることができ、しかも、商品に欠くべからざるパーツの一部を利用することによりコストダウンを図ることができ、多種多様な筆記具やキャップに対応することができるクリップを提供することを目的とするものである。
【課題を解決するための手段】
【０００５】
本発明に係るクリップは、一端が筆記具頂部またはキャップ頂部に取り付けられ、曲面部を形成して下方に延長されるとともに、延長方向に沿ってガイドが形成された板状本体と、このガイドに下端部が遊びを有して掛止され、板状本体の外面を滑動自在に変位するキャラクタとを備えたものである。
【０００６】
本発明に係るクリップでは、一端が筆記具頂部またはキャップ頂部に取り付けられ、曲面部を形成して下方に延長されるとともに、延長方向に沿ってガイドが形成された板状本体と、このガイドに下端部が遊びを有して掛止され、板状本体の外面を滑動自在に変位するキャラクタとを備えたことにより、キャラクタをガイドに沿って上端まで引き上げるか、あるいは、筆記部またはキャップの上下を逆にしてキャラクタを下側に変位させた後筆記部またはキャップの上下を元の位置に復帰させるかし、キャラクタを本体の上端に一旦静止させ、クリップを少し傾けるか、手でキャラクタを押し出すと、キャラクタは下端部がガイドに沿って案内されて自重により板状本体上面を滑り下る。このため、キャラクタは板状体の上をあたかもすべり台を滑り降りるがごとく楽しく遊ぶ動作をしている印象を使用者に与えることができる。
【０００７】
また、請求項２に係るクリップは、ガイドをスリットにより構成し、このスリットを、曲線状に形成された曲線状スリット、または、スリット側壁に多数の凹凸部が形成された凹凸スリットのうち少なくともいずれか一方により構成したものである。
【０００８】
請求項２に係るクリップでは、ガイドをスリットにより構成し、このスリットを、曲線状に形成された曲線状スリット、または、スリット側壁に多数の凹凸部が形成された凹凸スリットのうち少なくともいずれか一方により構成したことにより、キャラクタが滑り降りる動きに変化を与えることができ、意外性が増大する。
【０００９】
さらに、請求項３に係るクリップは、ガイドをスリットにより構成し、スリットの一側壁にラック歯を形成するとともに、キャラクタの下端部には、このラック歯に噛合するピニオンを形成したものである。
【００１０】
請求項３に係るクリップでは、ガイドをスリットにより構成し、スリットの一側壁にラック歯を形成するとともに、キャラクタの下端部には、このラック歯に噛合するピニオンを形成したことにより、キャラクタが滑り降りる動きに意外性を与えることができ、印象を強めることができる。
【００１１】
請求項４に係るクリップは、板状体は、Ｕ字状に形成され、折り曲げられた上端下面が筆記具頂部またはキャップの頂部に取り付けられるようにしたものである。
【００１２】
請求項４に係るクリップでは、板状体は、Ｕ字状に形成され、折り曲げられた上端下面が筆記具頂部またはキャップの頂部に取り付けられるようにしたことにより、取り付け部を中心にクリップの前後を利用することができるので、キャラクタの動作に多様性を与えることができる。また、複数の異なるキャラクタを設ければ、ゲーム性も取り入れることができ、需要者の関心を引きつけやすくなる。
【発明の効果】
【００１３】
本発明に係るクリップは、一端が筆記具頂部またはキャップ頂部に取り付けられ、曲面部を形成して下方に延長されるとともに、延長方向に沿ってガイドが形成された板状本体と、このガイドに下端部が遊びを有して掛止され、板状本体の外面を滑動自在に変位するキャラクタとを備えるようにしているので、キャラクタが板状体上部から滑り降りるたびに、板状体の上をあたかもすべり台を滑り降りるごとく楽しく遊んでいるような印象を与えることができ、その変化を視覚的に楽しむことができ、子どもの興味や関心を高め、付加価値を高めることができる。板状本体をクリップとして使用しているので、筆記具やキャップの構成に必須の部品の一部を利用することができ、コストダウンを図ることができる。また、板状本体の一部を筆記具頂部またはキャップ頂部に取り付けるようにしているので、頂部の径が同一の筆記具またはキャップであれば、別の筆記具またはキャップに取り付けることができ、多種多様な筆記具やキャップに対応することができる。また、キャラクタは板状本体上に設けるようにしているので、空間的な制約が少なく、キャラクタの設計寸法の自由度が増し、多様なキャラクタに対応させることができる。
【発明を実施するための最良の形態】
【００１４】
キャラクタにシンプルな動きの変化でさも遊んでいるような印象を持たせ、子どもの関心を引くという目的を、板状本体の一端を筆記具頂部またはキャップ頂部に取り付け、板状本体を曲面部を形成して下方に延長するとともに、中央に沿ってスリットを形成し、このスリットにキャラクタの下端掛止部を遊嵌させ、キャラクタを板状本体の外面を滑動自在に変位させるようにしたことにより実現した。
【実施例１】
【００１５】
以下、図面に示す実施例により本発明を説明する。図１の（Ａ）は、本発明の第１の実施例に係るクリップを示す正面図、図１の（Ｂ）、（Ｃ）はそれぞれ本発明の第１の実施例に係るクリップの動作を示す側面図である。本実施例に係るクリップ２は、図１に示すように、ボールペンあるいはシャープペン等の筆記具３の上端ノック部４に着脱自在に取り付けられる。筆記具３は、例えば、ボールペンの場合、軸筒５の中空内部にボールペンの芯（図示せず）が進退可能に収納され、先細状に形成された下端部６の先端口７からペン先（図示せず）が出し入れされるようになっている。
【００１６】
クリップ２は、図２に示すように、板状本体１０が、上端の平坦部１１と、この平坦部１１から連続し曲面に形成された曲面部１２と、この曲面部１２から連続し下方に延びるほぼ垂直な滑降部１３とを有して構成される。平坦部１１の下面には、筆記具２の上端ノック部４またはキャップ３０（図３参照）の頂部３１の径に合わせて形成された取り付け筒部１４が形成される。この取り付け筒部１４は、取り外し自在としてもよいし、接着剤により筆記具２の上端ノック部４またはキャップ３０の頂部３１に接合してもよい。滑降部１３の下端内側には突部１５が形成される。板状本体１０には、平坦部１１から滑降部１３にかけて中央に沿ってスリット（ガイド）１６が形成される。スリット１６の両側面１６Ａ、１６Ｂは、平坦にかつ平行に形成される。
【００１７】
ところで、このスリット１６には、図２に示すように、キャラクタ１７の下端に形成された掛止部１８が遊びを有して掛止されるようになっている。掛止部１８は、キャラクタ１７の下部に形成された突部２１に、大径部１９に形成された筒部２０を挿着して形成される。大径部１９はスリット１６の溝幅より大きい径を有し、筒部２０の外径はスリット１６の溝幅より小さい寸法となっている。このため、キャラクタ１７は、曲面部１２上に位置すると、自重により、板状本体１０の外面を滑り落ち、あたかもすべり台を滑り降りるがごとく印象を与えるようになっている。
【００１８】
次に、上記第１の実施例に係るクリップ２の作用について説明する。上記実施例に係るクリップ２では、筆記具３を図１の（Ａ）に示すように、先端口７を下にノック部４（キャップ３０の頂部３１（図３および図４参照））を上に位置させて、キャラクタ１７をスリット１８に沿って平坦部１１まで引き上げ、静止状態に保持すると、キャラクタ１７は平坦部１１上で静止した状態で保持される。筆記具３に振動を与えるか、傾斜させるか。指でキャラクタ１７を押し出して、キャラクタ１７を曲面部１２に移すと、キャラクタ１７は自重により掛止部１８がスリット１６に沿って案内され板状本体１０の上面を滑り下る。このため、キャラクタ１７は板状本体１０の上をあたかもすべり台を滑り降りるごとく楽しく動作している印象を使用者に与える。なお、筆記部３の頂部またはキャップ３０の頂部３１を一旦下に向け、キャラクタ１７をクリップ２の平坦部１１に変位させた後、筆記部３またはキャップ３０の上下を元の位置に復帰させ、キャラクタ１７を平坦部１１上で静止させ、その後、キャラクタ１７を曲面部１２に移すと、キャラクタ１７は上記と同様に、自重により板状本体１０の上面を滑り下る。なお、図３の（Ａ）ないし（Ｅ）は、例えば、鉛筆などの筆記具３Ａの芯側に被せられるキャップ３０にクリップ２を取り付けた状態を示すもので、図３の（Ａ）、（Ｃ）はそれぞれ、キャラクタ１７が平坦部１１に静止している状態を示す側面図および正面図、図３の（Ｂ）、（Ｄ）、（Ｅ）はそれぞれ、キャラクタ１７が滑り降りた状態を示す側面図、正面図および斜視図である。図４の（Ａ）、（Ｂ）はそれぞれ、キャップ３０を鉛筆３Ａに被せた状態を示す正面図および側面図である。
【実施例２】
【００１９】
図５は、本発明の第２の実施例に係るクリップ１０２を示す正面図である。この第２の実施例に係るクリップ１０２は、本体１１０のスリット１１６が緩やかなカーブを複数つけて波線状に形成され、本体１１０の左右両側が複数の曲線から構成されている点を除き上記第１の実施例とほぼ同一の構成を有している。この第２の実施例に係るクリップ１０２では、スリット１１６が波状に形成されているので、あたかも、カーブが連続するすべり台を滑り降りるように、キャラクタ１７を、左右方向に揺らしながらしかも速度に変化をつけて滑降させることができ。
【実施例３】
【００２０】
図６は、本発明の第３の実施例に係るクリップ２０２の要部を示す斜視図である。この第３の実施例に係るクリップ２０２は、本体２１０のスリット２１６の両側面２１６Ａ、２１６Ｂが細かい波状（または歯状）に形成されている。このため、キャラクタ１７は、一気に滑り降りることがなく、掛止部１８がスリット２１６の波状側面２１６Ａ、２１６Ｂに当たる度に一旦滑り降りる動作が中断されては、再び滑り降り、動作と中断を繰り返し、機械時計の秒針の如く間欠的に滑動する。このため、使用者は、キャラクタ１７を本体２１０上の好みの位置に止めて滑動を楽しむことができる。
【実施例４】
【００２１】
図７は、本発明の第４の実施例に係るクリップ３０２の要部を示す斜視図である。このクリップ３０２は、本体３１０のスリット３１６のうち一側面３１６Ｂを延長方向に沿って平坦に形成し、他側面３１６Ａを上下に分け、上側の面３４０を、平坦にかつ一側面３１６Ｂに対して平行に形成し、下側の面３４１を、上側の面３４０から後退させてラック歯に形成するようにしている。そして、キャラクタ３１７の掛止部３１８を、一側面３１６Ｂと上側の面３４０との間を遊びを有して通過するピン３２０と、このピン３２０の下端に設けられ、下側の面３４１のラック歯に噛合するピニオン３１８とにより構成している。このため、第４の実施例に係るクリップ３０２では、キャラクタ３１７を、回転させながら本体３１０上を滑り降ろすようにすることができる。
【実施例５】
【００２２】
図８は、本発明の第５の実施例に係るクリップ４０２の要部を示す背面図である。このクリップ４０２は、上記第４の実施例の変形例に係るもので、スリット４１６の一側面４１６Ａを、直線状の面４１６ＡＳと曲線状の面４１６ＡＣとにより構成し、他側面４１６Ｂの上側面４４０を、一側面４１６Ａの直線状面４１６ＡＳと曲線状面４１６ＡＣとに合致させて形成し、他側面４１６Ｂの下側面４４１を、一側面４１６Ａの直線状面４１６ＡＳに合致する部位にラック歯４４１Ａを形成し、曲線状面４１６ＡＣに合致する部位には、直線状の平坦面４４１Ｂを形成するようにしている。このスリット４１６には、上記第４の実施例と同様に、キャラクタ３１７の掛止部３１８が遊嵌され、ピニオン３１８がラック歯４４１に噛合するようになっている。このため、第５の実施例に係るクリップ４０２では、キャラクタ３１７は、ラック歯４４１Ａと噛合する部位を滑り降りる際には、回転し、ラック歯４４１Ａとの噛合が解除され平坦面４４１Ｂをピニオン３１８が通過する際には、ピン３２０が一側面４１６Ａの曲線状面４１６ＡＣと上側面４４０の曲面部とに規制されつつ滑り降りるので、左右に揺れて速度が変化する。このように、この実施例に係るクリップ４０２では、キャラクタ３１７に多様な動きを与えることができる。
【実施例６】
【００２３】
図９は、本発明の第６の実施例に係るクリップ５０２を示す斜視図ある。このクリップ５０２は、板状本体５１０を、Ｕ字状に形成し、折り曲げられた上端下面に取り付け筒部５１４を設け、筆記具３、３Ａの頂部またはキャップ３０の頂部３１に取り付けるようにしている。このように構成することにより、上端を中心にクリップ５０２の前後を利用することができるので、キャラクタの動作に多様性を与えることができる。また、複数の異なるキャラクタを設ければ、ゲーム性も取り入れることができ、需要者の関心を引きつけやすくなり、商品価値の向上に寄与する。
【００２４】
なお、上記実施例では、板状本体１０、１１０、２１０、３１０、４１０をＪ字状に、板状本体５１０をＵ字状に形成しているがこれに限られるものではなく、クリップとして使用可能な範囲で螺旋状に形成したり、捻りを加えて形成し、キャラクタの動きのおもしろさを引き出すようにしてもよい。また、上記実施例では、ガイドをスリットにより構成しているが、これに限られるもではなく、レールや、断面Ｃ字状の案内溝で構成してもよいことはいうまでもない。
【図面の簡単な説明】
【００２５】
【図１】（Ａ）ないし（Ｃ）はそれぞれ、本発明の第１の実施例に係るクリップを示す正面図、キャラクタが滑り降りた状態を示す側面図およびキャラクタが滑り降りる前の状態を示す側面図である。（実施例１）
【図２】図１のクリップの組み付け状態を示す斜視図である。
【図３】（Ａ）ないし（Ｅ）はそれぞれ、図１のクリップをキャップに適用した際の、キャラクタが平坦部に静止している状態を示す側面図、キャラクタが滑り降りた状態を示す側面図、キャラクタが平坦部に静止している状態を示す正面図、キャラクタが滑り降りた状態を示す正面図およびキャラクタが滑り降りた状態を示す斜視図である。
【図４】（Ａ）、（Ｂ）はそれぞれ、キャップを鉛筆に被せた状態を示す正面図および側面図である。
【図５】本発明の第２の実施例に係るクリップを示す正面図である。（実施例２）
【図６】本発明の第３の実施例に係るクリップの要部を示す斜視図である。（実施例３）
【図７】本発明の第４の実施例に係るクリップの要部を示す斜視図である。（実施例４）
【図８】本発明の第５の実施例に係るクリップの要部を示す背面図である。（実施例５）
【図９】本発明の第６の実施例に係るクリップを示す斜視図ある。（実施例６）
【符号の説明】
【００２６】
２  クリップ
３  筆記具
１０  板状本体
１６  スリット（ガイド）
１７  キャラクタ
１８  掛止部（下端部）
３０  キャップ
３１  キャップ頂部
【図１】
2006334996.tif 000003
【図２】
2006334996.tif 000004
【図３】
2006334996.tif 000005
【図４】
2006334996.tif 000006
【図５】
2006334996.tif 000007
【図６】
2006334996.tif 000008
【図７】
2006334996.tif 000009
【図８】
2006334996.tif 000010
【図９】
2006334996.tif 000011